(57)【要約】【課題】臭気発生設備から屋外へ流れる臭気を良好に低減できること。【解決手段】消臭液剤を噴射ノズル１３から霧状に噴射し、この霧状の消臭液剤が臭気成分を分解することにより消臭を実施する屋外消臭システム１０であって、上記噴射ノズルが、臭気発生源１１を有する臭気発生設備１２の屋外における周囲に、敷地境界線２４に沿って複数個配置され、これらの噴射ノズルから消臭液剤を常時噴射させることにより、上記臭気発生設備から流れ出る臭気を消臭するよう構成されたものである。【選択図】    図１
2004181046.tif 000002
【特許請求の範囲】
【請求項１】
消臭液剤を噴射ノズルから霧状に噴射し、この霧状の消臭液剤が臭気成分を分解することにより消臭を実施する消臭システムであって、
上記噴射ノズルが、臭気発生源を有する臭気発生設備の屋外における周囲に複数個配置され、これらの噴射ノズルから消臭液剤を常時噴射させることにより、上記臭気発生設備から流れ出る臭気を消臭するよう構成されたことを特徴とする消臭システム。
【請求項２】
上記噴射ノズルは、臭気発生設備から一定距離離れた位置に設置されたことを特徴とする請求項１に記載の消臭システム。
【請求項３】
消臭液剤を噴射ノズルから霧状に噴射し、この霧状の消臭液剤が臭気成分を分解することにより消臭を実施する消臭システムであって、
上記噴射ノズルが屋外に設置され、臭気発生源を有する臭気発生設備から消臭対象地域へ向かって風が流れたとき、または風速が所定値以下のときに上記噴射ノズルから消臭液剤を噴射させ、上記臭気発生設備から流れ出る臭気を消臭するよう構成されたことを特徴とする消臭システム。
【請求項４】
上記風向きが風向計により検出され、この検出値に基づいて上記噴射ノズルから消臭液剤が噴射可能に構成されたことを特徴とする請求項３に記載の消臭システム。
【請求項５】
上記臭気発生設備から消臭対象地域へ向かって流れる風に対し、当該臭気発生設備の上流側に位置する噴射ノズルから消臭液剤が噴射されるよう構成されたことを特徴とする請求項３または４に記載の消臭システム。
【請求項６】
上記噴射ノズルは、人の身長高さと略同一位置に設置されたことを特徴とする請求項１乃至５のいずれかに記載の消臭システム。
【発明の詳細な説明】
【０００１】
【発明の属する技術分野】
本発明は、食品加工工場やごみ処理施設などの臭気発生設備から屋外へ流れ出る臭気を消臭する消臭システムに関する。
【０００２】
【従来の技術】
近年、都市における人口の過密化が進行しており、かつては過疎地であった、食品加工工場やごみ処理施設などの臭気発生設備の付近にまで住宅地が進出する傾向にある。これに伴い、上述の臭気発生設備から流れ出る臭気が環境問題の一つとなっている。
従来の臭気システムは、特許文献１に記載の発明のごとく、臭気が流れ出る臭気発生設備の室内において実施され、この室内における特定の臭気発生源へ向かって消臭液剤を噴射して消臭している。
【０００３】
【特許文献１】
特開２００１‐９３３５号公報
【０００４】
【発明が解決しようとする課題】
ところが、上述の消臭システムにおいて、臭気発生設備の室内における消臭を実施してもなお、臭気発生設備から屋外へ臭気が流れ出てしまう。
本発明の目的は、上述の事情を考慮してなされたものであり、臭気発生設備から屋外へ流れる臭気を良好に低減できる消臭システムを提供することにある。
【０００５】
【課題を解決するための手段】
請求項１に記載の発明は、消臭液剤を噴射ノズルから霧状に噴射し、この霧状の消臭液剤が臭気成分を分解することにより消臭を実施する消臭システムであって、上記噴射ノズルが、臭気発生源を有する臭気発生設備の屋外における周囲に複数個配置され、これらの噴射ノズルから消臭液剤を常時噴射させることにより、上記臭気発生設備から流れ出る臭気を消臭するよう構成されたことを特徴とするものである。
【０００６】
請求項２に記載の発明は、請求項１に記載の発明において、上記噴射ノズルは、臭気発生設備から一定距離離れた位置に設置されたことを特徴とするものである。
【０００７】
請求項３に記載の発明は、消臭液剤を噴射ノズルから霧状に噴射し、この霧状の消臭液剤が臭気成分を分解することにより消臭を実施する消臭システムであって、上記噴射ノズルが屋外に設置され、臭気発生源を有する臭気発生設備から消臭対象地域へ向かって風が流れたとき、または風速が所定値以下のときに上記噴射ノズルから消臭液剤を噴射させ、上記臭気発生設備から流れ出る臭気を消臭するよう構成されたことを特徴とするものである。
【０００８】
請求項４に記載の発明は、請求項３に記載の発明において、上記風向きが風向計により検出され、この検出値に基づいて上記噴射ノズルから消臭液剤が噴射可能に構成されたことを特徴とするものである。
【０００９】
請求項５に記載の発明は、請求項３または４に記載の発明において、上記臭気発生設備から消臭対象地域へ向かって流れる風に対し、当該臭気発生設備の上流側に位置する噴射ノズルから消臭液剤が噴射されるよう構成されたことを特徴とするものである。
【００１０】
請求項６に記載の発明は、請求項１乃至５のいずれかに記載の発明において、上記噴射ノズルは、人の身長高さと略同一位置に設置されたことを特徴とするものである。
【００１１】
【発明の実施の形態】
以下、本発明の実施の形態を、図面に基づき説明する。
［Ａ］第１の実施の形態（図１及び図２）
図１は、本発明に係る消臭システムの第１の実施の形態が適用された屋外消臭システムの噴射ノズルの配置を示す平面図である。図２は、図１の屋外消臭システムを示す系統図である。
【００１２】
これらの図１及び図２に示す屋外消臭システム１０は、臭気発生源１１を有する臭気発生設備１２から屋外へ流れ出る臭気を、噴射ノズル１３から霧状に噴射される消臭液剤により消臭するものであって、上記噴射ノズル１３及び消臭ユニット１４を備えて構成される。
【００１３】
ここで、臭気発生設備１２としては食品加工工場、肥料製造工場、ごみ処理施設、汚水処理施設などであり、臭気発生源としては換気扇や煙突などである。また、消臭液剤は、天然樹木や植物から抽出したエキスを主原料とした液剤であって、臭気成分に接触してこれを分解することにより消臭機能を果たすものであり、市販されている。
【００１４】
図２に示すように、上記消臭ユニット１４は噴射ノズル１３へ、水により希釈された消臭液剤と圧縮空気を供給するものである。この消臭ユニット１４は、ユニットケース１５内に消臭液剤タンク１６、混合タンク１７、液送ポンプ１８、圧縮機１９及び制御装置２０を有してなる。尚、上記圧縮機１９は、ユニットケース１５外に設置されてもよい。
【００１５】
消臭液剤タンク１６内に消臭液剤の原液が貯溜される。この消臭液剤タンク１６内の原液は、原液供給弁２１の開操作時に所定量が混合タンク１７へ送給される。この混合タンク１７は、消臭液剤の原液を水道水と混合して、所定濃度に希釈するものである。水道水供給弁２２の開操作時に、所定量の水道水が混合タンク１７内へ供給される。
【００１６】
混合タンク１７内の希釈された消臭剤液は、送液ポンプ１８の作動により複数個の噴射ノズル１３へ送給される。また、この噴射ノズル１３へは、圧縮機１９の作動により、圧縮された空気が空気供給弁２３の開操作時に供給される。
【００１７】
上記原液供給弁２１、水道水供給弁２２及び空気供給弁２３の開閉操作と、送液ポンプ１８の運転及び停止と、圧縮機１９の運転及び停止が制御装置２０により制御される。なお、上記原液供給弁２１及び水道水供給弁２２はユニットケース１５内に収納され、空気供給弁２３は噴射ノズル１３付近、またはユニットケース１５内に設置される。
【００１８】
前記噴射ノズル１３は２流体ノズルであり、この噴射ノズル１３へ供給された消臭液剤を、同じく噴射ノズル１３へ供給された圧縮空気によって約１０ミクロンの細かい霧状粒子とし、この霧状の消臭液剤を噴射する。噴射ノズル１３からの消臭液剤の噴射量は、当該噴射ノズル１３内において消臭液剤が流れる経路に設置されたスロットル弁（図示せず）の開度により調整される。このスロットル弁の開度も制御装置２０により制御される。
【００１９】
噴射ノズル１３から噴射された消臭液剤の霧状粒子は、臭気発生設備１２から流れ出た臭気の臭気成分と接触し、この臭気成分を分解して臭気を消臭する。この消臭方式は、芳香剤による強い香りを混ぜることでなされる消臭や、活性炭による臭気成分の吸着による消臭などとは、臭気成分を分解する点において異なる。
さて、消臭液剤を噴霧する上記噴射ノズル１３は、図１に示すように、臭気発生設備１２の屋外における周囲に複数個配置される。具体的には、複数個の噴射ノズル１３は、臭気発生設備１２の屋外における敷地境界線２４に沿って、その近傍内側に、臭気発生設備１２を囲むようにして、一列または複数列（本実施の形態では一列）に配設される。
【００２０】
上記敷地境界線２４が一般には臭気発生設備１２から一定距離隔てられていることから、複数個の噴射ノズル１３は、臭気発生設備１２における臭気発生源１１の近傍ではなく、臭気発生設備１２から距離Ｌだけ離れた位置に設置されることになる。この距離Ｌは、臭気発生設備１２によって異なるが、数メートル〜数１０メートルが好ましい。臭気発生設備１２から流れ出る臭気は、この臭気発生設備１２から離れれば離れるほど、臭気成分を含まない空気により希釈されるので、上記距離Ｌが大きいほど、噴射ノズル１３から噴射される消臭液剤の多数の霧状粒子は、希釈されて数が少なくなった臭気成分に接触することになる。このため、臭気発生設備１２から距離Ｌの位置に設置された噴射ノズル１３から噴霧される消臭液剤によって消臭効果が高められる。
【００２１】
また、噴射ノズル１３は、メンテナンス作業者の身長高さと略同一位置に設置される。
【００２２】
更に、噴射ノズル１３からは消臭液剤が常時噴射される。つまり、制御装置２０（図２）は、送液ポンプ１８及び圧縮機１９を常に運転状態とし、空気供給弁２３を常に開操作状態とし、噴射ノズル１３内のスロットル弁を所定開度に開操作して、噴射ノズル１３から消臭液剤を常時噴射させる。これは、臭気発生設備１２における敷地境界線２４の周囲に、消臭対象地域としての住宅地域２５Ａ、２５Ｂ及び２５Ｃ等が隣接していることから、臭気発生設備１２からの臭気を、風向きを考慮することなく常に消臭する必要があるためである。
【００２３】
以上のように構成されたことから、上記実施の形態によれば次の効果▲１▼及び▲３▼を奏する。
▲１▼臭気発生源１１を有する臭気発生設備１２の屋外における敷地境界線２４に沿って、この臭気発生設備１２の周囲に噴射ノズル１３が複数個配置されたことから、これらの噴射ノズル１３から常時噴射される消臭液剤によって、臭気発生設備１２から漏れ出て空気により希釈された臭気を良好に消臭できる。この結果、臭気発生設備１２における敷地境界線２４の周囲近隣に住宅地域２５Ａ、２５Ｂ及び２５Ｃが点在していても、これらの住宅地域２５Ａ、２５Ｂ、２５Ｃに対し、臭気発生設備１２から流れ出た臭気を良好に低減できる。
【００２４】
▲２▼噴射ノズル１３が、臭気発生源１１を有する臭気発生設備１２から一定の距離Ｌだけ離れた位置に設置されたので、この距離Ｌが大きいほど、噴射ノズル１３から噴射される消臭液剤の多数の霧状粒子は、臭気発生設備１２から流れ出て空気（臭気成分を含まない空気）により希釈された臭気、つまり数の少なくなった臭気成分と接触することになる。このため、消臭液剤の霧状粒子による臭気成分の分解を確実に実施でき、顕著な消臭効果を得ることができる。
【００２５】
▲３▼上記噴射ノズル１３がメンテナンス作業者の身長高さと略同一位置に設置されたので、噴射ノズル１３に目詰まりなどが発生した場合にも、迅速にその目詰まりを解消できる。従って、噴射ノズル１３による良好な消臭を確保できる。
【００２６】
［Ｂ］第２の実施の形態（図３及び図４）
図３は、本発明に係る消臭システムの第２の実施の形態が適用された屋外消臭システムの噴射ノズル及び風向風速計などを示す平面図である。図４は、図３の屋外消臭システムを示す系統図である。この第２の実施の形態において、前記第１の実施の形態と同様な部分は、同一の符号を付すことにより説明を省略する。
【００２７】
これらの図３及び図４に示す屋外消臭システム３０は、消臭発生設備１２が建設された土地の地形や気候に応じた風の向き（風向きＡ）に対し、消臭対象地域としての住宅地域２９が、臭気発生設備１２の下流側にのみに存在する場合のシステムである。
【００２８】
この屋外消臭システム３０では、噴射ノズル１３は、臭気発生設備１２の屋外において、この臭気発生設備１２から住宅地域２９へ向かう上記風向きＡに対し、臭気発生設備１２の上流側に複数個配置される。つまり、複数個の噴射ノズル１３は、臭気発生設備１２から住宅地域２９へ向かう風向きＡに対し、臭気発生設備１２の上流側に位置する敷地境界線２４の境界線部分２４Ａに沿って、一列または複数列（本実施の形態では一列）に配列される。この噴射ノズル１３も、臭気発生設備１２から距離Ｌだけ離れた位置に設置されると共に、メンテナンス作業者の身長高さと略同一位置に設置される。
【００２９】
また、この屋外消臭システム３０には、臭気発生設備１２の敷地内の任意の位置に風向風速計３１が設置されている。この風向風速計３１は、臭気発生設備１２の敷地内を流れる風向き及び風速を検出するものであり、この風向風速計３１による風向風速検出値が、図４に示すように、信号変換器などの情報処理装置３２を介して制御装置２０へ送信される。
【００３０】
制御装置２０は、風向風速計３１が検出した風速検出値及び風向検出値に基づき、噴射ノズル１３からの消臭液剤の噴射を制御する。
即ち、制御装置２０は、風向風速計３１の風速検出値が所定値以上で、且つその風向検出値が、臭気発生設備１２から住宅地域２９へ向かう風向きＡと略一致したと判断した場合に、送液ポンプ１８及び圧縮機１９を運転させ、空気供給弁２３を開操作し、噴射ノズル１３内のスロットル弁を所定開度に開操作して、風向きＡにおける臭気発生設備１２の上流側に配置の当該噴射ノズル１３から消臭液剤を噴霧させる。更に、制御装置２０は、風向風速計３１が検出した風速検出値が所定値以下であると判断した場合、例えば無風または微風状態の場合に、送液ポンプ１８及び圧縮機１９を運転させる等上述と同様にして、噴射ノズル１３から消臭液剤を噴霧させる。また、制御装置２０は、風向風速計３１の風速検出値が所定値以上で、且つその風向検出値が上記風向きＡと略一致しないと判断した場合には、噴射ノズル１３から消臭液剤を噴霧させないよう制御する。
【００３１】
上述のように構成されたことから、上記実施の形態によれば、前記第１の実施の形態の効果▲２▼及び▲３▼と同様な効果を奏するほか、次の効果▲４▼〜▲７▼を奏する。
▲４▼臭気発生設備１２の屋外における敷地境界線２４のうち、臭気発生設備１２から住宅地域２９へ向かう風向きＡの上流側に位置する境界線部分２４Ａに沿って複数個の噴射ノズル１３が配置され、上記風向きＡと略一致する方向の、所定値以上の風速の風が流れたことが風向風速計３１により検出された場合に、上記噴射ノズル１３から消臭液剤を噴霧させることから、臭気発生設備１２から流れ出て風向きＡ方向に流れる風（空気）中に混入された臭気成分は、この風向きＡ方向の風（空気）中に噴射された消臭液剤に接触して良好に分解される。この結果、風向きＡに対し臭気発生設備１２の下流側に位置する住宅地域２９に対して、臭気発生設備１２から漏れ出た臭気を良好に低減できる。
【００３２】
▲５▼また、風向風速計３１により所定値以下の風速が検出された場合（例えば無風状態等の場合）にも、噴射ノズル１３から消臭液剤が噴霧されることから、臭気発生設備１２から流れ出て空気中に拡散された臭気成分は、上記噴射ノズル１３から噴射された消臭液剤に接触して良好に分解される。従って、この場合にも、臭気発生設備１２から離れた住宅地域２９に対して、当該臭気発生設備１２から漏れ出た臭気を良好に低減できる。
【００３３】
▲６▼臭気発生設備１２から住宅地域２９へ向かって所定値以上の風速の風が流れたとき、または風速が所定値以下のときに噴射ノズル１３から消臭液剤を噴霧し、臭気発生設備１２から住宅地域２９以外へ向かって所定値以上の風速の風が流れたときに消臭液剤を噴霧しないことから、消臭液剤の使用量を低減でき、効率的な消臭を実現できる。
【００３４】
▲７▼噴射ノズル１３が、臭気発生設備１２から住宅地域２９へ向かう風向きＡに対し、臭気発生設備１２の上流側の境界線部分２４Ａの内側に配置されたので、噴射ノズル１３が上記風向きＡに対し臭気発生設備１２の下流側に設置された場合（図３の破線表示）に比べ、臭気発生設備１２から流れ出た臭気成分と、噴射ノズル１３から噴射された消臭液剤の霧状粒子との接触時間を長くできる。従って、消臭液剤による臭気成分の分解を確実化でき、消臭効果を一層向上させることができる。
【００３５】
以上、本発明を上記実施の形態に基づいて説明したが、本発明はこれに限定されるものではない。
例えば、噴射ノズル１３は、図３の破線に示すように、臭気発生設備１２から住宅地域２９へ向かう風向きＡに対し、臭気発生設備１２の下流側に位置する敷地境界線２４の境界線部分２９Ｂに沿って、その内側に設置されてもよい。
【００３６】
また、防風林などの林に向かう風の上流側に、害虫駆除用薬剤を散布するための噴射ノズルを設置し、この噴射ノズルから上記林へ向かって風が流れたことを風向風速計３１を用いて検出したときにのみ、上記噴射ノズルから上記薬剤を散布して、効率的な薬剤散布を実施してもよい。
【００３７】
更に、催し物や飲食店などで一定方向の風が吹いたときにのみ、この風の上流側に設置した噴射ノズルから芳香液剤などを噴霧して、風の下流側にいる人の関心を引き寄せ、客寄せ用に利用してもよい。
【００３８】
【発明の効果】
本発明に係る消臭システムによれば、臭気発生設備から屋外へ流れる臭気を良好に低減できる
【図面の簡単な説明】
【図１】本発明に係る消臭システムにおける第１の実施の形態が適用された屋外消臭システムの噴射ノズルの配置を示す平面図である。
【図２】図１の屋外消臭システムを示す系統図である。
【図３】本発明に係る消臭システムにおける第２の実施の形態が適用された屋外消臭システムの噴射ノズル及び風向風速計などを示す平面図である。
【図４】図３の屋外消臭システムを示す系統図である。
【符号の説明】
１０  屋外消臭システム
１１  臭気発生源
１２  臭気発生設備
１３  噴射ノズル
１４  消臭ユニット
１６  消臭液剤タンク
１７  混合タンク
１８  送液ポンプ
１９  圧縮機
２０  制御装置
２４  敷地境界線
２５Ａ、２５Ｂ、２５Ｃ  住宅地域
２９  住宅地域
３０  屋外消臭システム
３１  風向風速計
Ａ  風向き
Ｌ  距離
【図１】
2004181046.tif 000003
【図２】
2004181046.tif 000004
【図３】
2004181046.tif 000005
【図４】
2004181046.tif 000006